【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
タッチセンス物体であって、該タッチセンス物体は：
少なくとも一部がデジタルスキンで覆われる物体であって、デジタルスキンには複数の行導体が埋め込まれている、物体；
複数の列導体であって、デジタルスキンに近接するタッチイベントが、複数の行導体の少なくとも１つと複数の列導体の少なくとも１つとの間で結合の変化を引き起こすように、複数の列導体は複数の行導体に近接して位置決めされ、複数の行導体の少なくとも１つと複数の列導体の少なくとも１つは、互いに方向を変えるのに適しており、それによって行われる測定値の感度を増加させる、複数の列導体；
複数の信号エミッタであって、その各々が複数の埋め込まれた行導体の１つを分離するように動作可能に接続され、ソース信号のセットの１つを同時に放出するのに適しており、ソース信号のセットのそれぞれ１つはソース信号のセットのそれぞれ他の１つに対して周波数直交し、ソース信号のセットからの信号間の周波数間隔（Δｆ）は測定期間τの少なくとも逆数である、複数の信号エミッタ；
複数の信号受信器であって、その各々が複数の埋め込まれた列導体の１つを分離するように動作可能に接続され、列導体に存在する信号に対応するフレームを受信するのに適しており、フレームが獲得される間にフレームは列導体に動作可能に接続され、信号受信器の各々は互いの信号受信器と同時にそのフレームを受信するのに適している、複数の信号受信器；
受信したフレームに少なくとも部分的に基づいて、デジタルスキンに隣接する電磁波による障害を反映するヒートマップを生成するのに適している、信号プロセッサ
を含むタッチセンス物体。
【請求項２】
デジタルスキンはタッチに応じて変形可能である、請求項１に記載のタッチセンス物体。
【請求項３】
複数の列はデジタルスキンに埋め込まれる、請求項２に記載のタッチセンス物体。
【請求項４】
変形可能なデジタルスキンは、
物体に隣接する内面、
物体から遠位にある外面、
複数の行導体と外面との間の頂部、及び
複数の行導体と内面との間の底部を含み；
及び、ここで、変形可能なデジタルスキンは頂部において機械的に変形可能である、請求項２に記載のタッチセンス物体。
【請求項５】
変形可能なデジタルスキンは、
物体に隣接する内面、
物体から遠位にある外面、
複数の行導体と外面との間の頂部、及び
複数の行導体と内面との間の底部を含み；
及び、ここで、変形可能なデジタルスキンは底部において機械的に変形可能である、請求項２に記載のタッチセンス物体。
【請求項６】
変形可能なデジタルスキンはまた、頂部において機械的に変形可能である、請求項５に記載のタッチセンス物体。
【請求項７】
タッチセンス物体の外側部の少なくとも一部は、外面を持つ機械的に変形可能な材料を含み、機械的に変形可能な材料の外面は、デジタルスキンとしてタッチセンス物体の表面の同じ部分の少なくとも一部におよぶ、請求項４に記載のタッチセンス物体。
【請求項８】
機械的に変形可能な材料は誘電性である、請求項７に記載のタッチセンス物体。
【請求項９】
変形可能なデジタルスキンは、
物体に隣接する内面、
物体から遠位にある外面、
複数の行導体と外面との間の頂部、
複数の行導体と複数の列導体との間の中間部、及び
複数の列導体と内面との間の底部を含み；
及び、ここで、変形可能なデジタルスキンは頂部において変形可能である、請求項３に記載のタッチセンス物体。
【請求項１０】
タッチセンス物体の外側部の少なくとも一部は、外面を持つ機械的に変形可能な材料を含み、機械的に変形可能な材料の外面は、デジタルスキンとしてタッチセンス物体の表面の同じ部分の少なくとも一部におよぶ、請求項９に記載のタッチセンス物体。
【請求項１１】
変形可能なデジタルスキンは、
物体に隣接する内面、
物体から遠位にある外面、
複数の行導体と外面との間の頂部、
複数の行導体と複数の列導体との間の中間部、及び
複数の列導体と内面との間の底部を含み；
及び、ここで、変形可能なデジタルスキンは中間部において変形可能である、請求項３に記載のタッチセンス物体。
【請求項１２】
タッチセンス物体であって、該タッチセンス物体は：
保護面で覆われた物体；
保護面の少なくとも一部の真下にあるデジタルスキンであって、中に複数の行導体が埋め込まれている、デジタルスキン；
複数の列導体であって、デジタルスキンに近接するタッチイベントが、複数の行導体の少なくとも１つと複数の列導体の少なくとも１つとの間で結合の変化を引き起こすように、複数の列導体は複数の行導体に近接して位置決めされ、複数の行導体の少なくとも１つと複数の列導体の少なくとも１つは、互いに方向を変えるのに適しており、それによって行われる測定値の感度を増加させる、複数の列導体；
複数の信号エミッタであって、その各々が複数の埋め込まれた行導体の１つを分離するように動作可能に接続され、ソース信号のセットの１つを同時に放出するのに適しており、ソース信号のセットのそれぞれ１つはソース信号のセットのそれぞれ他の１つに対して周波数直交し、ソース信号のセットからの信号間の周波数間隔（Δｆ）は測定期間τの少なくとも逆数である、複数の信号エミッタ；
複数の信号受信器であって、その各々が複数の埋め込まれた列導体の１つを分離するように動作可能に接続され、列導体に存在する信号に対応するフレームを受信するのに適しており、フレームが獲得される間にフレームは列導体に動作可能に接続され、信号受信器の各々は互いの信号受信器と同時にそのフレームを受信するのに適している、複数の信号受信器；
受信したフレームに少なくとも部分的に基づいて、保護面に隣接する電磁波による障害を反映するヒートマップを生成するのに適している、信号プロセッサ
を含むタッチセンス物体。
【請求項１３】
タッチセンス物体であって、該タッチセンス物体は：
少なくとも一部がグリップで覆われる物体であって、グリップには複数の行導体が埋め込まれている、物体；
複数の列導体であって、デジタルスキンに近接するタッチイベントが、複数の行導体の少なくとも１つと複数の列導体の少なくとも１つとの間で結合の変化を引き起こすように、複数の列導体は行導体に近接して位置決めされ、複数の行導体の少なくとも１つと複数の列導体の少なくとも１つは、互いに方向を変えるのに適しており、それによって行われる測定値の感度を増加させる、複数の列導体；
複数の信号エミッタであって、その各々が複数の埋め込まれた行導体の１つを分離するように動作可能に接続され、ソース信号のセットの１つを同時に放出するのに適しており、ソース信号のセットのそれぞれ１つはソース信号のセットのそれぞれ他の１つに対して周波数直交し、ソース信号のセットからの信号間の周波数間隔（Δｆ）は測定期間τの少なくとも逆数である、複数の信号エミッタ；
複数の信号受信器であって、その各々が複数の埋め込まれた列導体の１つを分離するように動作可能に接続され、列導体に存在する信号に対応するフレームを受信するのに適しており、フレームが獲得される間にフレームは列導体に動作可能に接続され、信号受信器の各々は互いの信号受信器と同時にそのフレームを受信するのに適している、複数の信号受信器；
受信したフレームに少なくとも部分的に基づいて、グリップに隣接する電磁波による障害を反映するヒートマップを生成するのに適している、信号プロセッサ
を含むタッチセンス物体。